(57)【特許請求の範囲】
【請求項１】
スラブ外周縁下に筒状の刃口を突設してその内側をドライ作業空間となすとともに、該スラブ上に載荷可能にしたニューマチックケーソンの地中沈設に際し、該ケーソンの沈降途中に生じた傾斜の下側の刃口下に、平板状をした載荷用プレートと、該プレート上面に突設され、上面が前記ニューマチックケーソンの刃口下のテーパ面に当接させる角度に傾斜された複数の幅方向に向けた傾斜突起と、前記プレート上に一体に突設され、前記刃口の外周縁外に当接される掛止突起とを備えてなる傾斜修正用金具を施設し、前記刃口の沈降を阻止させ、前記金具敷設側の沈降を遅らせることによって傾斜を修正するニューマチックケーソンの傾斜修正方法。
【請求項２】
平板状をした載荷用プレートと、該プレート上面に突設され、上面がニューマチックケーソンの刃口下のテーパ面に当接させる角度に傾斜された複数の幅方向に向けた傾斜突起と、前記プレート上に一体に突設され、前記刃口の外周縁外に当接される掛止突起とを備えてなるニューマチックケーソンの傾斜修正用金具。
【発明の詳細な説明】
【０００１】
【発明の属する技術分野】
本発明は、地中に沈設するケーソンの底部にドライ作業空間を形成し、その作業空間内にて掘削作業を行いつつ、上部より荷重をかけて沈降させるニューマチックケーソンの傾斜修正方法及び傾斜修正用金具に関する。
【０００２】
【従来の技術】
従来、図７に示すように、ニューマチックケーソン１の沈設に際しては、スラブ２下のドライ作業空間３内にてケーソン下の掘削を行い、スラブ２上より注水等による荷重をかけて沈降させるようにしているところであるが、その沈降に際し、地盤が一様でない等の条件下ではケーソン１の片側が早く沈降し、全体が傾斜する場合がある。
【０００３】
この傾斜を修正する方法として、従来は図７に示すように、スラブ２の外周縁下の刃口４内に形成されたドライ作業空間３内において、スラブ２と地盤５との間に角材等を使用してサンドル６を組み、これによって沈降が早く進行している側、即ち傾斜下側の沈降を阻止し、正常な姿勢に戻す方法が一般的であった。
【０００４】
またこの他、図８に示すように、ケーソン１の外周に油圧ジャッキ７によりガイドローラ８を水平方向に押し当て、ケーソン１の傾斜をガイドローラ８の押し付けによって制御する方法が開発されている。
【０００５】
【発明が解決しようとする課題】
このような従来のサンドルによる傾斜修正方法においては、ケーソンの直径が充分に大きい場合には、スラブ周縁部下にサンドルを組み上げることにより傾斜修正に充分な回転モーメントを得ることができるが、直径が数メートル程度の小径のケーソンの場合に、組み上げるサンドル位置がケーソンの中心に近くならざるを得ず、このため、傾斜修正に必要な回転モーメントが得難くならざるを得ないという問題があった。
【０００６】
また油圧ジャッキによりガイドローラを押し当てて制御する方法では、沈設位置のケーソン周囲にガイド装置及びその反力体の設置が必要になり、広い空間を要するとともに高額な装置が必要となり、また水底への沈設には使用できない等の問題があった。
【０００７】
本発明はこのような従来の問題に鑑み、小径のケーソンであっても簡単な装置によって効果的に傾斜修正ができる方法及び傾斜修正用金具の提供を目的としてなされたものである。
【０００８】
【課題を解決するための手段】
上述の如き従来の問題を解決し、所期の目的を達成するための本発明の特徴は、スラブ外周縁下に筒状の刃口を突設してその内側をドライ作業空間となすとともに、該スラブ上に載荷可能にしたニューマチックケーソンの地中沈設に際し、該ケーソンの沈降途中に生じた傾斜の下側の刃口下に、平板状をした載荷用プレートと、該プレート上面に突設され、上面が前記ニューマチックケーソンの刃口下のテーパ面に当接させる角度に傾斜された複数の幅方向に向けた傾斜突起と、前記プレート上に一体に突設され、前記刃口の外周縁外に当接される掛止突起とを備えてなる傾斜修正用金具を施設し、前記刃口敷設側の沈降を遅らせることによって傾斜を修正するニューマチックケーソンの傾斜修正方法にあり、また本発明の傾斜修正用金具の特徴は、平板状をした載荷用プレートと、該プレート上面に突設され、上面がニューマチックケーソンの刃口下のテーパ面に当接させる角度に傾斜された複数の幅方向に向けた傾斜突起と、前記プレート上に一体に突設され、前記刃口の外周縁外に当接される掛止突起とを備えたことにある。
【０００９】
【発明の実施の形態】
次に本発明の実施の形態を図１〜図６について説明する。
【００１０】
図１〜図３は本発明に係る傾斜修正用金具の一例を示している。この金具１０は、方形状の平板状をした載荷用プレート１１の表面に上面が傾斜した一対の傾斜突起１２，１２が前後方向に向けて平行配置に突設されており、その各突起１２，１２の嵩低側の端部から間隔を隔ててそれぞれ掛止突起１３，１３が一体に突設されているとともに載荷用プレート１１の両縁部に一対のハンドル１４，１４が上向きに突設されている。
【００１１】
傾斜突起１２，１２の上面の傾斜は、後述するニューマチックケーソンの刃口下面のテーパに対応した角度に形成されているとともに、掛止突起１３，１３の高さは、傾斜突起１２，１２上に当接された刃口の外縁が係止される高さに形成されている。
【００１２】
次に金具１０を使用したニューマチックケーソンの傾斜修正方法を図４〜図６について説明する。
【００１３】
図において、２０はニューマチックケーソンであり、このケーソンは最底部のスラブ２１の外周縁下に円筒状をした刃口２２が下向きに突設され、その内側がドライ作業空間２３となっている。スラブ２１の中央には上方に延びる排土作業用筒２４が連結されているとともに、その外側に載荷用の注水部２５が設けられている。
【００１４】
このケーソン２０の沈降途中において、周囲の地盤条件の違い等によって傾斜が生じた場合には、その傾斜の下側の刃口２２下を図４，図５に示すように、部分的に金具１０が挿入できる幅及び深さの金具挿入穴を掘削形成し、その各穴内に金具１０，１０……を挿入し、掛止突起１３，１３を刃口２２の先端の外側に位置させる。
【００１５】
この状態でケーソン２０を沈降させると、金具１０の掛止突起１３，１３が刃口２２の外側に位置された状態で、傾斜突起１２，１２の上面に刃口下面のテーパ面２２ａが当接し、刃口２２に対する金具１０の移動が阻止された状態で載荷用プレート１１にケーソン２０の傾斜下側が載荷される。
【００１６】
このようにして金具１０をケーソン２０の傾斜下側と地盤下に介在させて沈降させることにより、金具１０を介在された側の沈降が阻止された状態で他方側が沈降されることとなりケーソン２０の傾斜が修正される。
【００１７】
尚地盤条件によって、金具１０を一方側に介在されたまま沈降させることにより、まっすぐに沈降されることとなる場合には、金具１０を装着させたままケーソン全体を沈降させる。
【００１８】
【発明の効果】
上述したように本発明においては、ニューマチックケーソンの沈降に際して傾斜が生じた場合、ケーソンの刃口下に沈降を阻止させる傾斜修正金具を介在させるようにしたことにより、小径のケーソンであっても、傾斜修正方向に働くモーメントの中心を刃口最外部に置くことができ、このため大きな回転モーメントが得られることとなって効果的に傾斜修正がなされる。
【００１９】
また使用する装置は刃口下に敷設する平板状の金具のみであるため、その製造費は少なくて良く、しかも金具の敷設が容易であり、場所を取らず、経済的である。
【図面の簡単な説明】
【図１】本発明に係る傾斜修正金具の一例の平面図である。
【図２】同上の正面図である。
【図３】同上の側面図である。
【図４】本発明の傾斜修正方法における傾斜修正金具の挿入状態を示す縦断面図である。
【図５】同上の底面図である。
【図６】同上の傾斜修正金具装置状態を示す部分拡大縦断面図である。
【図７】従来のニューマチックケーソンの傾斜修正方法の一例の断面図である。
【図８】同上の他の例の断面図である。
【符号の説明】
１０  金具
１１  載荷用プレート
１２  傾斜突起
１３  掛止突起
１４  ハンドル
２０  ニユーマチックケーソン
２１  スラブ
２２  刃口
２２ａ  テーパ面
２３  ドライ作業空間
２４  排土作業用筒
２５  注水部
【図１】
0003814788.tif 000002
【図２】
0003814788.tif 000003
【図３】
0003814788.tif 000004
【図４】
0003814788.tif 000005
【図５】
0003814788.tif 000006
【図６】
0003814788.tif 000007
【図７】
0003814788.tif 000008
【図８】
0003814788.tif 000009